Podtech/llm-jp-corpus-v4-ja_patent huggingface dataset:
(57)【要約】【課題】  この考案は、丸鍋角鍋の両方で利用できる落し蓋に関するものである。【解決手段】板状体１どうしを可動可能な接続部材２を利用してつなぎ合わせ、板状体を回転させることにより、丸鍋には円い形状で、角鍋には四角い形状で使用する。【選択図】図２
0003130767.tif 000002
【実用新案登録請求の範囲】
【請求項１】
つなぎ合わせた数枚の板状体からなり、その板状体を可動させることにより、円形や角形等に変化させうることを特徴とした落し蓋。
【考案の詳細な説明】
【考案の詳細な説明】
【技術分野】
【０００１】この考案は、煮物などを煮炊きする際に使用する落し蓋に関するものである。
【背景技術】
【０００２】落し蓋は、煮物などをする時に煮汁が材料全体によくまわり、かつ煮物の形くずれの防止等に用いられてきた。
落し蓋には、木製のもの、陶器で出来たもの、金属性のもの等材質も様々あり、大きさも様々なものがあるが、形状は一様に円いものがほとんどである。
近年、四角の鍋等が出回り、円い落し蓋では材料全体に煮汁がまわらなかったり、落し蓋から外れた煮物では形くずれも起きていた。
【考案が解決しようとする課題】
【０００３】そこで、この考案の課題は、落し蓋を構成する板状体を可動させることによって形状を変化させ、角鍋にも有効な、落し蓋を提供することである。
【課題を解決するための手段】
【０００４】いま、その構成を図面においながら説明すると
（イ）数枚の（例えば５枚）板状体１どうしを可動可能な接続部材２を利用してつなぎ合わせる。
（ロ）板状体を、回転させることにより、丸鍋には円い形状で、角鍋には四角い形状で使用する。
以上のように装置する。
【考案を実施するための最良の形態】
【０００５】図１のように、板状体１とそれをつなぎ合わせる接続部材２によって構成されている。
この接続部材２でつなぎ合わされた板状体は、接続部材を中心に回転させることが出来、その形状を図１、図２の様に丸型および角型に変形させる事が出来るようになっている。
図３は接続部材２を中心に、自由に板状体を回転させた図である。【０００６】また、他の事例として、図５のように板状体に蒸気抜きとして孔を開けた形状のものも考えられる。【０００７】板状体の形状や材質は、様々なものが考えられるが、本考案の特徴である形状を変形させられる点において、すべて本考案の範疇に属するものとされる。
【考案の効果】
【０００８】本考案の効果をまとめると下記のようになる。
（イ）１つの落し蓋で丸鍋、角鍋の両方に使用することができる。
（ロ）使用しないときには、板状体１枚の大きさまでたたむ事が出来、扱いやすい。
（ハ）落し蓋以外にも、蒸し器用しき板や、水切り板としても利用することが出来る。
【図面の簡単な説明】
【０００９】
【図１】本考案の、丸鍋用落し蓋平面図
【図２】本考案の、角鍋用落し蓋平面図
【図３】本考案の、自由回転時の平面図
【図４】本考案の、板状体の接続箇所の側面図
【図５】本考案の、他の実施例の平面図
【符号の説明】
【００１０】１は板状体
２は接続部材
３は孔
【図１】
0003130767.tif 000003
【図２】
0003130767.tif 000004
【図３】
0003130767.tif 000005
【図４】
0003130767.tif 000006
【図５】
0003130767.tif 000007
(57)【要約】【課題】  本考案は、凹凸や塗装による規則性のある模様の繰返しによって造られる、石、タイル、コンクリート、木材などの模造したものではない、視覚的ゆらぎ感がありやわらかい質感を持ったサイディングを提案する。【解決手段】  布目のテクスチャをサイディングの表面に付けることにより、視覚的にゆらぎ感がありやわらかい質感を持ったサイディングを実現する。【選択図】図１
0003130763.tif 000002
【実用新案登録請求の範囲】
【請求項１】
布目のテクスチャを表面に有することを特徴としたサイディング。
【考案の詳細な説明】
【技術分野】
【０００１】  本考案は、窯業系サイディングに関するものである。
【背景技術】
【０００２】  従来、窯業系サイディングは、不燃材であること、価格が安定しているといった利点から、多くの建物の外壁に使用されている。【０００３】  しかし、窯業系サイディングの多くは凹凸や塗装による規則性のある模様の繰返しによって造られる、石、タイル、コンクリート、木材などを模造したものがほとんどであり、一部の特殊なサイディングを除いて、視覚的にゆらぎ感がありやわらかい質感を持った製品がほとんどない。
【考案の開示】
【考案が解決しようとする課題】
【０００４】  本考案は、凹凸や塗装による規則性のある模様の繰返しによって造られる、石、タイル、コンクリート、木材などの模造したものではない、視覚的にゆらぎ感がありやわらかい質感を持ったサイディングを提案する。
【課題を解決するための手段】
【０００５】  布目のテクスチャをサイディングの表面に付けることにより、視覚的にゆらぎ感がありやわらかい質感を持ったサイディングを実現する。
【考案の効果】
【０００６】  本考案の布目サイディングは、上述のような手段によって、視覚的にゆらぎ感がありやわらかい質感を持つことができ、より意匠性の高い外壁を造ることが出来る。
【考案を実施するための最良の形態】
【０００７】  サイディング基板の押出し成形時、抄造成形時に、布目のテクスチャを表面につけ、養生後に止水性能のある塗装を塗布する。これにより、従来のサイディング同等の耐候性や止水性能を持った布目サイディングを実現することが出来る。
【実施例】
【０００８】  従来の一般的なサイディングのように、凹凸や塗装による規則性のある模様の繰返しによって造られる、石、タイル、コンクリート、木材などの模造したものではなく、布目のテクスチャをつけることで、視覚的にゆらぎ感がありやわらかい質感を持った布目サイディングを実現し、意匠性の高い外壁材として様々な建築に利用することが出来る。
【図面の簡単な説明】
【０００９】
【図１】  サイディングの断面図（布目テクスチャの状況を示す）
【図２】  サイディングの正面図（外部側から見た布目テクスチャの状況を示す）
【符号の説明】
【００１０】  ▲１▼  サイディングの基板
▲２▼  布目テクスチャ
【図１】
0003130763.tif 000003
【図２】
0003130763.tif 000004
【手続補正書】
【提出日】平成18年12月27日(2006.12.27)
【手続補正１】
【補正対象書類名】実用新案登録請求の範囲
【補正対象項目名】全文
【補正方法】変更
【補正の内容】
【実用新案登録請求の範囲】
【請求項１】
布目のテクスチャを表面に有するサイディングであって、前記布目のテクスチャがサイディング表面の凹凸によって作られていることを特徴とするサイディング。
(57)【要約】【課題】バイオリンとビオラの演奏者が、演奏する際に汗から楽器の損傷を防止します。バイオリンとビオラ演奏者の演奏中での顎の保護や楽器のすべりを防止します。【解決手段】絹を素材とする考案の顎あて用カバーを使用することで、汗がカバーに吸収され、楽器に直接汗が触れることが防止出来ると共に、顎あて用カバーのクッション効果で演奏者の顎を保護し、かつ摩擦効果により楽器のすべり防止効果を生じます。【選択図】図２
0003130768.tif 000002
【実用新案登録請求の範囲】
【請求項１】
バイオリンとビオラの演奏者が、楽器を演奏する際に、楽器の顎あて部分に被せ、演奏者の顎を保護し、楽器と衣服間のすべりを防止ししながら、汗や汚れから楽器を守る目的で、使用する機能を有するカバー。
【考案の詳細な説明】
【技術分野】
【０００１】本考案は、ヴァイオリンとビオラの演奏時に、演奏者が顎あてに被せるカバーに関するものです。
【背景技術】
【０００２】ヴァイオリンやビオラ演奏時に顎の負担を軽減させる為、また汗からヴァイオリンを守る為に、ハンカチやタオルを被せ演奏する演奏者が多くいます。
これらの演奏家の使用目的に提供する為に、考案しました。
【考案の開示】
【考案が解決しようとする課題】
【０００３】ヴァイオリン演奏時にハンカチやタオルを被せ演奏する際、下記１〜３の欠点があります。特に長時間の演奏の際、負担が顕著になる為それを解決しようとするものです。
１、ハンカチやタオルは生地の質が荒い為、顎や首付近の肌に負担が掛かり、肌を傷めがちです。
２、楽器とハンカチやタオルの接触点が滑りやすい、また何も被せないで演奏すると違和感があり、楽器を安定して構えづらいです。しかも何も被せないで演奏すると衣服を着て演奏する際、衣服と楽器の接触部分がたいへん滑りやすいです。
0003130768.tif 000003
する必要もあり、ますます負担が掛かります。
【課題を解決するための手段】
【０００４】バイオリンとビオラの演奏者が、楽器を演奏する際に、楽器の顎あて部分に被せ、演奏者の顎を保護し、楽器と衣服間のすべりを防止ししながら、汗や汚れから楽器を守る目的で、使用すると効果的なカバーです。
【考案の効果】
【０００５】素材には上質な絹の生地を使用し、絹地を４〜５枚重ねる事により、顎のクッションとなる。また上質な絹はきめが非常に細かく滑らかで柔らかな生地の為、長時間の演奏においての肌の負担を軽減します。【０００６】上質な絹の生地を使用し４〜５枚重ねる事でちょうど良い厚さとなっている為、何も被せないで演奏するのと比べ違和感を軽減すます。また、絹はバイオリンや衣服との接触点も滑りにくい性質の為、演奏に際しては楽器を安定して構える事が出来ます。【０００７】ヴァイオリンの顎当てにかぶせるポケットには、硬めの芯を貼ってあり、楽器を下ろした際にも落ちにくく工夫しました。
演奏者はヴァイオリンを斜めに構えるため、ポケットをその方向に合わせ斜めにつけました。
また、顎当てに合わせ、ポケットを半円を描く様にカーブを持たせた結果、演奏者が構
0003130768.tif 000004
【０００８】絹地を４〜５枚重ねることにより、演奏時汗が絹地に吸収され、楽器を汗から保護することが可能です。
【考案を実施するための最良の形態】
【０００９】楽器の顎あて部分に絹素材を使用の、顎あてカバーを着用。
【実施例】
【０００１０】ヴァイオリン演奏者約１５名以上が使用。
ビオラ演奏者  ２名が使用。
【図面の簡単な説明】
【０００１１】
【図１】  表側
【図２】  裏側
【符号の説明】
【０００１２】  Ａ        顎あてに被せるポケット。
【図１】
0003130768.tif 000005
【図２】
0003130768.tif 000006
【手続補正書】
【提出日】平成19年1月10日(2007.1.10)
【手続補正１】
【補正対象書類名】実用新案登録請求の範囲
【補正対象項目名】全文
【補正方法】変更
【補正の内容】
【実用新案登録請求の範囲】
【請求項１】
バイオリンとビオラの演奏者が楽器を演奏する際に、カバー本体裏側に斜めに配置したポケットを楽器の顎あて部分に被せ、絹地を４枚から５枚合わせで作ることにより、演奏者の顎を保護し、楽器と衣服間のすべりを防止ししながら汗や汚れから楽器を守る目的で、使用する機能を有するカバー。
(57)【要約】      （修正有）【課題】出し汁を取ったあとでも、箸で容易に取り除くことができる昆布を提供する。【解決手段】導入部１を設けてなる昆布２。これにより、導入部１に箸３を入れることができ、箸３で昆布２を容易に取り除くことができる。導入部１は、その数と形状を多種多様にしても良い。【選択図】図１
0003130766.tif 000002
【実用新案登録請求の範囲】
【請求項１】
昆布に導入部を設ける。
【考案の詳細な説明】
【技術分野】
【０００１】  本考案は、導入部を設けた昆布に関するものである。
【背景技術】
【０００２】  従来の出し汁を取るための昆布は、出し汁を取ったあとの滑りやすくなった昆布を箸で取り除きやすくしたものはなかった。
【考案の開示】
【考案が解決しようとする課題】
【０００３】  従来は次のような欠点があった。
従来の出し汁を取るための昆布は出し汁を取ったあと、箸で取り除くのには滑りやすくて取り除きにくかった。
また、出し汁を取ったあとの滑りやすくなった昆布を箸で取り除きやすくしたものはなかった。
本考案は、上記の欠点を除くためになされたものである。
【課題を解決するための手段】
【０００４】  昆布に導入部を設ける。
本考案は、以上のような構成により問題点を解決している。
【考案の効果】
【０００５】  昆布に導入部を設けたことにより、出し汁を取ったあとの滑りやすくなった、箸で取り除きにくい昆布を昆布に設けた導入部に箸を入れることで容易に箸で取り除くことができる。
【考案を実施するための最良の形態】
【０００６】  昆布に導入部を設ける。
【実施例】
【０００７】  以下、本考案の実施例について説明する。
導入部１を昆布２に設ける。
導入部１は箸を入れるためのものである。
導入部１は箸を入れやすいように昆布２に設ける。
導入部１は導入部の数と、いろいろな形状の導入部を設けることにより多種多様にできる。
導入部１は図４、図７において、昆布２を箸３で押すことで箸を入れる導入部となる。
導入部１は図９、図１０において、いろいろな形状の導入部を設けている。
【図面の簡単な説明】
【０００８】
【図１】本考案の斜視図である。
【図２】本考案の平面図である。
【図３】本考案の斜視図である。
【図４】本考案の斜視図である。
【図５】本考案の平面図である。
【図６】本考案の斜視図である。
【図７】本考案の斜視図である。
【図８】本考案の平面図である。
【図９】本考案の斜視図である。
【図１０】本考案の平面図である。各図の各部において主要部以外は省略している。
【符号の説明】
【０００９】１  導入部
２  昆布
３  箸
【図１】
0003130766.tif 000003
【図２】
0003130766.tif 000004
【図３】
0003130766.tif 000005
【図４】
0003130766.tif 000006
【図５】
0003130766.tif 000007
【図６】
0003130766.tif 000008
【図７】
0003130766.tif 000009
【図８】
0003130766.tif 000010
【図９】
0003130766.tif 000011
【図１０】
0003130766.tif 000012
【手続補正書】
【提出日】平成18年12月27日(2006.12.27)
【手続補正１】
【補正対象書類名】実用新案登録請求の範囲
【補正対象項目名】全文
【補正方法】変更
【補正の内容】
【実用新案登録請求の範囲】
【請求項１】
導入部を設けた昆布。
(57)【要約】【課題】  本考案は、止水性のある基板の素地調の塗料を塗装することにより、外部から基板内部に対する止水性を向上させ、かつ、基板の素地をイメージしたサイディングを実現するものである。【解決手段】  サイディングの基板に、止水性のある基板の素地調の塗装することにより、外部から基板内部に対する止水性を向上させ、さらに、基板の素地調の塗料によって基板素地調の表面を形成することにより、基板の素地をイメージしたサイディングを実現する。【選択図】図１
0003130762.tif 000002
【実用新案登録請求の範囲】
【請求項１】
窯業系サイディングに基板の素地調の塗装することにより、基板素地調の表面を有することを特徴としたサイディング。
【考案の詳細な説明】
【技術分野】
【０００１】  本考案は、窯業系サイディングに関するものである。
【背景技術】
【０００２】  従来、窯業系サイディングは、不燃材であること、価格が安定しているといった利点から、多くの建物の外壁に使用されている。【０００３】  しかし、多くの窯業系サイディングの基板は吸水性があり、吸水すると基板の耐久性が低下するという欠点がある。そのため、止水性のある有機系塗料を塗装して使用するのが一般的であり、一部のサイディングを除いて基板の素地を活かして使用することは困難である。
【考案の開示】
【考案が解決しようとする課題】
【０００４】  本考案は、止水性のある基板の素地調の塗料を塗装することにより、外部から基板内部に対する止水性を向上させ、かつ、基板の素地をイメージしたサイディングを実現するものである。
【課題を解決するための手段】
【０００５】  サイディングの基板に、止水性のある基板の素地調の塗装することにより、外部から基板内部に対する止水性を向上させ、さらに、基板の素地調の塗料によって基板素地調の表面を形成することにより、基板の素地をイメージしたサイディングを実現する。
【考案の効果】
【０００６】  本考案の素地調サイディングは、上述のような手段によって、基板の素地をイメージしたサイディングを実現でき、それにより意匠性の高い外壁を造ることが出来る。
【考案を実施するための最良の形態】
【０００７】  成形したサイディングの基板に止水性のある塗料を図１のように塗布する。これにより、外部から基材内部に対しての止水性を向上させ基板の吸水を防ぎ、基板の耐久性の低下を防止し、さらに、外部から室内側に対する止水性も向上する。【０００８】  さらに、塗料を色の調合、数色の色を塗り重ねる、粒子状の天然石やガラス等の細骨材を加える等の方法で塗装することで、基板の素地調の塗膜を形成し、基板の素地をイメージしたサイディングを実現することができる。
【実施例】
【０００９】  従来の一般的なサイディングのように、人為的に作られた凹凸や塗装の表面模様ではなく、サイディングの基板の素地をイメージした表面にすることにより、意匠性の高い外壁材として様々な建築に利用することが出来る。
【図面の簡単な説明】
【００１０】
【図１】  サイディングの断面図（塗装の状況を示す）
【図２】  サイディングの正面図（外部側から）
【符号の説明】
【００１１】  ▲１▼  サイディングの基板
▲２▼  塗膜
【図１】
0003130762.tif 000003
【図２】
0003130762.tif 000004
【手続補正書】
【提出日】平成18年12月27日(2006.12.27)
【手続補正１】
【補正対象書類名】実用新案登録請求の範囲
【補正対象項目名】全文
【補正方法】変更
【補正の内容】
【実用新案登録請求の範囲】
【請求項１】
基材の一面に塗装をしたサイディングであって、その塗膜に粒子状の細骨材を含み、前記基材の素地調をかもし出していることを特徴としたサイディング。
(57)【要約】【課題】  本考案は、色彩の彩度を和らげながら表紙の文字やイメージが分る色彩緩衝性を持ったブックカバー用フィルムにより、書籍や雑誌などの表紙の色彩を和らげ調和させることで、調和のない色彩で雑然とした景観を改善しようとするものである。【解決手段】  半透明や乳半、またはエンボス等の表面加工をした樹脂フィルムや紙の片面に粘着面設けることで、耐磨耗性、耐水性、色彩の彩度を和らげながら表紙の文字やイメージが分る色彩緩衝性をもったブックカバー用フィルムを実現する。【選択図】図１
0003130761.tif 000002
【実用新案登録請求の範囲】
【請求項１】
片面に粘着面を有するフィルムで、書籍や雑誌などの表紙の色彩の彩度を和らげながら表紙の文字やイメージが分る色彩緩衝性をもつことことを特徴とするブックカバー用フィルム
【考案の詳細な説明】
【技術分野】
【０００１】  本考案は、ブックカバー用フィルムに関するものである。
【背景技術】
【０００２】  従来、図書館などで書籍保護のために多用されているブックカバー用フィルムは、片面に粘着性のあるポリプロピレン等樹脂製の透明のフィルムが使われてきた。そして、多くのブックカバー用フィルムは書籍や雑誌等の表紙の保護を主目的としているため、透明のものが多く、フィルムを貼っても、表紙はフィルムを貼る前とほとんど変らなかった。
【考案の開示】
【考案が解決しようとする課題】
【０００３】  最近では印刷技術の進歩に伴い、色彩に富んだ表紙の書籍や雑誌などが多くなり、それらを棚等に収納した時に表紙の色彩の調和がとれず雑然とし、景観を損ねていることがよくある。そごで、従来あるブックカバー用フィルムに、耐磨耗性や耐水性といった従来の性能に加えて、色彩の彩度を和らげながら表紙の文字やイメージが分る色彩緩衝性といった機能を持たせることで、書籍や雑誌などの表紙の色彩を調和させる。これにより前述の問題を解決しようとするものである。
【課題を解決するための手段】
【０００４】  半透明や乳半、またはエンボス等の表面加工をした樹脂フィルムや紙の片面に粘着面設けることで、耐磨耗性、耐水性、色彩の彩度を和らげながら表紙の文字やイメージが分る色彩緩衝性をもったブックカバー用フィルムを実現する。
【考案の効果】
【０００５】  本考案のブックカバー用フィルムは、上述のような手段によって、書籍や雑誌などの表紙の耐磨耗性、耐水性を向上する。さらに色彩緩衝性によって色彩の彩度が和らぐことで、それらを棚等に収納した際に色彩の調和がとれ、景観を向上することが出来る。
【考案を実施するための最良の形態】
【０００６】  半透明や乳半、またはエンボス等の表面加工をした、ポリエステルやポリプロピレンなどの樹脂フィルムや紙の片面に粘着面設けることで、耐磨耗性、耐水性、色彩の彩度を和らげながら表紙の文字やイメージが分る色彩緩衝性をもったブックカバー用フィルムを実現する。
【実施例】
【０００７】  ＰＥＴフィルムを基材としたグレー半透明のフィルムの片面に粘着面設け、ブックカバー用フィルムとすることで、従来の耐磨耗性や耐水性に加え、図１のように色彩の彩度を和らげながら表紙の文字やイメージが分る色彩緩衝性により、書籍や雑誌などの表紙の色彩を調和させることで、調和のない色彩で雑然とした景観を改善することができる。
【図面の簡単な説明】
【０００８】
【図１】  本の表紙の一部分に本考案のブックカバー用フィルムを被せた写真
【符号の説明】
【０００９】▲１▼  表紙
▲２▼  本考案のブックカバーフ用フィルム
【図１】
0003130761.tif 000003
【手続補正書】
【提出日】平成18年12月27日(2006.12.27)
【手続補正１】
【補正対象書類名】実用新案登録請求の範囲
【補正対象項目名】全文
【補正方法】変更
【補正の内容】
【実用新案登録請求の範囲】
【請求項１】
書籍や雑誌などの表紙を被うためのブックカバー用フィルムであって、片面に粘着性を有し、前記表紙に密着し色彩の彩度を和らげながら表紙の文字、絵や写真等のイメージが視認できる色彩緩衝性を特徴とするブックカバー用フィルム。
(57)【要約】【課題】  壁面に近接して取りつけることができて、体裁がよく、水漏れを完全に防止できると共に、取扱簡単で、容易に取りつけられる栓体を提供する。【解決手段】  円形盲板１０と、円形盲板１０の中央穴１００に嵌着できるようにした丸蓋２０と、円形盲板１０に一体形成したねじ筒体３０であって、筒体内で六角棒レンチ又はドライバー等で筒体を回動できるようにしたものとを備え、ねじ筒体３０を給水管又は給湯管の出口ソケット４０に螺入し、丸蓋２０を円形盲板１０の中央穴１００に嵌入したもの。【選択図】        図６
0003130736.tif 000002
【実用新案登録請求の範囲】
【請求項１】
円形盲板１０と、円形盲板１０の中央穴１００に嵌着できるようにした丸蓋２０と、円形盲板１０に一体形成したねじ筒体３０であって、筒体内で六角棒レンチ又はドライバー等で筒体を回動できるようにしたものとを備え、ねじ筒体３０を給水管又は給湯管の出口ソケット４０に螺入し、丸蓋２０を円形盲板１０の中央穴１００に嵌入したことを特徴とする栓体。
【請求項２】
円形盲板１０の中央穴１００の穴外縁に、はずし切り欠き１０１を設けていることを特徴とする請求項１記載の栓体。
【考案の詳細な説明】
【技術分野】
【０００１】
本考案は、突出部分がなく美観のよい給水管又は給湯管の出口ソケットに螺入できるようにした栓体に関する。
【背景技術】
【０００２】
従来、不使用の給水管又は給湯管の出口ソケットには、図８に示すような栓体を螺入していたが、浴室や台所等の人目のつく所では、体裁に乏しい欠点があり、そのためプラスチックシールで貼着していたが剥離しやすく、また、水漏れを防止できない欠点があった。
【考案の開示】
【考案が解決しようとする課題】
【０００３】
本考案は、壁面に近接して取りつけることができて、体裁がよい栓体を提供するものである。
また、本考案は、水漏れを完全に防止できる栓体を提供するものである。
さらに、本考案は、取扱簡単で、容易に取りつけられる栓体を提供するものである。
【課題を解決するための手段】
【０００４】
本考案栓体は、上記課題を達成するため、図示するように、請求項１の考案は、円形盲板１０と、円形盲板１０の中央穴１００に嵌着できるようにした丸蓋２０と、円形盲板１０に一体形成したねじ筒体３０であって、筒体内で六角棒レンチ又はドライバー等で筒体を回動できるようにしたものとを備え、ねじ筒体３０を給水管又は給湯管の出口ソケット４０に螺入し、丸蓋２０を円形盲板１０の中央穴１００に嵌入したものである。
請求項２の考案は、請求項１の栓体において、円形盲板１０の中央穴１００の穴外縁に、はずし切り欠き１０１を設けているものである。
本考案において、円形盲板１０は、図３及び図６に示すように、外縁部を内側に若干曲げるように形成して、取り付けの際に壁体に沿うようにしてもよい。
また、本考案において、ねじ筒体３０内には、実施例に示すような
六角棒レンチでねじ締めできるようにするほか、図７に示すように、筒底にドライバ先を使用して回動できるような切り込みを入れてもよい。
【考案の効果】
【０００５】
本考案栓体は、配管の出口ソケット４０に螺入するときは、ねじ筒体３０の筒内に六角棒レンチ又はドライバーを入れて螺着すればよく、螺着後は丸蓋２０を嵌めればよく、丸蓋２０を取り出す時は、切り欠き１０１から脱せばよく、取扱簡単で、体裁よく、確実容易に施工できる。
【考案を実施するための最良の形態】
【０００６】
本考案栓体は、円形盲板と丸蓋とねじ筒体とを備えている。
【実施例】
【０００７】
本考案の実施例が図１乃至図７に示されている。
本考案の栓体は、円形盲板１０と、丸蓋２０と、ねじ筒体３０とからなる。
円形盲板１０は、円板状で中央に穴１００が設けられ、穴１００の外縁に、はずし切り欠き１０１が設けられている。
丸蓋２０は、図４に示すように、円形盲板１０の中央穴１００に嵌着できるように、円板２１と円筒状の脚２２を一体成形している。
ねじ筒体３０は、図１及び図３に示すように、円形盲板１０の中央穴１００の裏側に連設され、筒内部に六角棒レンチでねじ締めできるような六角形の角溝３０１が設けられている。
また、ねじ筒体３０は、図７に示すように、筒底３０１Ｂにドライバー先を挿入して回動できるような切り込みを形成したものでもよい。
以上のように、本考案品は、各部品とも金属製又は合成樹脂製で製作される。
給湯又は給水の配管出口を閉塞する際は、図６に示すように、ねじ筒体３０の筒内に六角棒レンチ又はドライバーを入れ、ねじ筒体３０をねじ締め方向（時計方向）に回動して、配管出口ソケット４０に螺着し、丸蓋２０を円形盲板１０の中央穴１００に嵌入すればよい。  
なお、本考案栓体を螺入するときは、ねじ筒体３０のねじ山のテープ巻きは図面上省略した。
本考案の栓体を配管出口ソケットから脱したいときは、円形盲板１０の中央穴１００の外縁のはずし切り欠き１０１にピン又はドライバー等を差し込み、丸蓋２０を押し上げて外し、ねじ筒体３０の筒内に六角棒レンチ又はドライバーを入れ、ねじ筒体３０をねじ弛み方向（反時計方向）に回動して、配管出口ソケット４０から取り除けばよい。
【産業上の利用可能性】
【０００８】
本考案は、小型、軽量で構造簡単、量産しやすい。
【図面の簡単な説明】
【０００９】
【図１】本考案の実施例を示す表面図である。
【図２】図１の裏面図である。
【図３】図１のｘ−ｘ線断面図である。
【図４】丸蓋の裏面から見た斜視図である。
【図５】丸蓋を被せたときの図１の表面図である。
【図６】本考案品の使用状態説明図である。
【図７】本考案の別の実施例を示す表面図である。
【図８】従来例を示す説明図である。
【符号の説明】
【００１０】
１０    円形盲板
１００    円形盲板の中央穴
１０１    切り欠き
２０    丸蓋
３０    ねじ筒体
４０    出口ソケット
【図１】
0003130736.tif 000003
【図２】
0003130736.tif 000004
【図３】
0003130736.tif 000005
【図４】
0003130736.tif 000006
【図５】
0003130736.tif 000007
【図６】
0003130736.tif 000008
【図７】
0003130736.tif 000009
【図８】
0003130736.tif 000010
(57)【要約】      （修正有）【課題】お弁当等に添えてあるポリ製小容量調味料容器に関するものであって、弁当箱に収納されている場合、当該容器は一般にネジ付キャップを締めることで醤油、ソース等の垂れるのを防止している。当該ネジ付キャップは片手の不自由な身障者や高齢者にとって、キャップを回転させる動作に手間が掛かり不快感を与える。課題は片手でも簡単にキャップ等が着脱容易に扱える調味料容器を提供する。【解決手段】お弁当等に添えてあるポリ製小容量調味料容器であって、本体と爪楊枝状丸棒栓からなり、丸棒栓を本体に単に挿入することにより内容液の垂れるのを防止する構造とする。丸棒栓を外す場合は、調味料容器を片手に保持し丸棒栓を口にくわえて引き抜くことに手間が掛からず快適に調味料を食材に掛けることが可能になった。【選択図】図１
0003130737.tif 000002
【実用新案登録請求の範囲】
【請求項１】
一般にお弁当等に添えてあるポリ製小容量調味料容器であって、容器本体と爪楊枝状の丸棒栓から構成され、該本体は弾力性部材で爪楊枝状丸棒栓は単なる挿入タイプであり、片手の不自由な方でも片手で当該容器を保持しながら爪楊枝状丸棒栓を口にくわえて簡単に片手で当該丸棒栓を引き抜くことの出来ることを特長とする片手で扱える調味料容器。
【請求項２】
当該丸棒栓の容器側の先端形状は爪楊枝の如く尖っており、爪楊枝としての機能を持つことを特徴とする請求項１の片手で扱える調味料容器。
【考案の詳細な説明】
【技術分野】
【０００１】
本考案は、片手で扱える身障者及び高齢者に優しい調味料容器に関するものである。
【背景技術】
【０００２】
一般にお弁当等に必ず添えてあるポリ製小容量調味料容器で、醤油、ソース等が入っていて、その形状は魚型、瓶型及び動物型等多種類ある。
【０００３】
お弁当を食べる前に、当該調味料容器の醤油、ソース等を食材に掛ける際、市販されているこの種調味料容器はネジ付キャップが付いてあるのが一般的であり、健常者は簡単に蓋を取り外すことが出来るが、片手しか使えない身障者及び高齢者はなかなかネジ付きキャップを外すことが出来ない。
【０００４】
その煩わしさから、片手しか使えない身障者及び高齢者は折角添えてある調味料を使用しない場合が多々ある。
【特許文献１】特開２００６−２４０６６３号公報
【特許文献２】特開２００６−１５００２１号公報
【考案の開示】
【考案が解決しようとする課題】
【０００５】
そこで、ネジ付きキャップの代わりに、片手でも簡単に爪楊枝状丸棒栓を引き抜くことの出来る調味料容器を提供する。    
【課題を解決するための手段】
【０００６】
上記目的を解決するため、本考案は既に醤油、ソース等が注入してある爪楊枝状丸棒栓付調味料容器を弁当箱から取り出した際、片手で容器を保持しながら当該丸棒栓を口にくわえて簡単に引き抜けるように、当該丸棒栓の調味料容器からはみ出す部分を長くする。    
【０００７】
ここで、調味料容器とは、一般にタレビンと呼ばれ、魚型、ビン型、動物型等色々あり、注ぎ口の径も大小あるが、爪楊枝型丸棒栓も注ぎ口の径に合わせ、調味料容器の口に近い部分の軸径を口の径に合わせる。
【０００８】
本考案のポイントは爪楊枝状丸棒栓にある。一般的に調味料容器のキャップはネジ方式であるので、片手が使えない身障者や高齢者にとって、キャップを回転させることが困難であり非常に扱いにくい。本考案は爪楊枝状丸棒栓を単に挿入しているだけであるので、当該栓を口にくわえ引き抜くことで、当該丸棒栓が簡単に外れる。
【０００９】
さらに、当該丸棒栓は先端が尖っており、爪楊枝として食材を突き刺すことが出来る。
【００１０】
このような簡単な構造であるが、揺すったり、落としたり種々実験を試みたが弁当箱の中で当該丸棒栓が外れて調味料がこぼれ出るという心配はなかった。    
【考案の効果】
【００１１】
本考案は以上に説明したように構成されているので、以下に記載される効
果が期待できる。
【００１２】
本考案による調味料容器は従来のネジ式キャップと違って、片手しか使えない身障者及び高齢者でも、口と片手を使うことにより簡単に当該丸棒栓を外し、調味料を食材にかけることが出来る。    
【００１３】
また、丸棒栓の先端は尖っており爪楊枝として、食材を突き刺すことが出来るので、身障者及び高齢者に優しい調味料容器として楽しんでもらえる。        
【考案を実施するための最良の形態】
【００１４】
以下に添付図面を参照して、更に詳細に説明する。
【実施例１】
【００１５】
図１は調味料容器１と爪楊枝状丸棒栓２の位置関係を示し、爪楊枝状丸棒栓２が調味料容器１に挿入され一体化されている。ただし、調味料容器１は色々な形状があるが魚形を代表例とした。
【実施例２】
【００１６】
図２は調味料容器１の単体図である。
【実施例３】
【００１７】
図３は爪楊枝状丸棒栓２の単体図である。
【実施例４】
【００１８】
図４は一般に市販されているネジ付きキャップを装備した調味料容器である。
【実施例５】
【００１９】
図５注ぎ口の径の大きな調味料容器と爪楊枝状丸棒栓の一体図である。
【産業上の利用可能性】
【００２０】
各種容器のキャップ類はネジ付が一般的であるが、片手しか使えない身障者及び高齢者には扱い難いものである。それに代わるものとして環境に優しい栓タイプのキャップが利用性大である。
【図面の簡単な説明】
【００２１】
【図１】本考案の実施例の調味料容器と爪楊枝状丸棒栓の一体図
【図２】調味料容器の単体図
【図３】本考案の実施例の爪楊枝状丸棒栓の単体図
【図４】市販のキャップ付調味料容器
【図５】本考案の実施例の注ぎ口径の大きな調味料容器と爪楊枝状丸棒栓の一体断面図
【符号の説明】
【００２２】
１  調味料容器
１ａ  注ぎ口の大きな調味料容器
２  爪楊枝状丸棒栓
２ａ  １ａ用爪楊枝状丸棒栓
３  ネジ付きキャップ
【図１】
0003130737.tif 000003
【図２】
0003130737.tif 000004
【図３】
0003130737.tif 000005
【図４】
0003130737.tif 000006
【図５】
0003130737.tif 000007
(57)【要約】【課題】取り扱いを容易にする。【解決手段】食器類等の物品を受承する平板部１の周縁に土手部２を形成し、該土手部２の外周面３を盆自体の外周面３とした盆において、前記外周面３のうち少なくとも一対の対向部位に把持部４、4aを凹設することによって、把持部４、4aに指を掛けさせる。【選択図】図２
0003130734.tif 000002
【実用新案登録請求の範囲】
【請求項１】
食器類等の物品を受承する平板部の周縁に土手部を形成し、該土手部の外周面を盆自体の外周面とした盆において、前記外周面のうち少なくとも一対の対向部位に把持部を凹設したことを特徴とする盆。
【請求項２】
土手部上端の内径を土手部下端の外径より小径としたことを特徴とする請求項１記載の盆。
【請求項３】
土手部の下端側において適宜間隔を置いてその下端側を平板部の下方に延出形成して間隔保持部を複数突設したことを特徴とする請求項１又は２記載の盆。
【請求項４】
平板部の底面にして土手部上端の内径対応部位より更に内側に脚体を突設したことを特徴とする請求項１、２又は３記載の盆。
【考案の詳細な説明】
【技術分野】
【０００１】
本考案は、食器類等の物品を載置し、持ち運ぶために使われる盆に関する。
【背景技術】
【０００２】
従来より、食器類等の物品を載置し、持ち運ぶために盆が使われ、その概括的形状は、物品を受承する平板部の周縁に土手部を形成し、該土手部の上端から外方に略水平の鍔部を形成し、該鍔部を持ち運び時の把持部としたものが主流である。
又、料亭や旅館など数多くの盆を一度に取り扱う業界では、盆を積み重ねて保管するとき嵩張らない様にするため、土手部上端の鍔部がなく、土手部の外周面を盆自体の外周面とした盆が好まれて使用されていた。
【考案の開示】
【考案が解決しようとする課題】
【０００３】
ところが、上記の鍔部のない盆にあっては、特に洗浄後に未乾燥のまま数多く高く積み重ねられると、自重と水分の乾燥により、上下盆が吸着し、次回の使用の際、引き離さねばならないが、指を掛けられる箇所がないことから、指が滑ってしまって、力を込められずに、取り扱いが煩わしかった。
【課題を解決するための手段】
【０００４】
本考案は、上記課題に鑑み、食器類等の物品を受承する平板部の周縁に土手部を形成し、該土手部の外周面を盆自体の外周面とした盆において、前記外周面のうち少なくとも一対の対向部位に把持部を凹設することによって、把持部に指を掛けさせ、取り扱いを容易にする様にして、上記課題を解決する。
【考案の効果】
【０００５】
要するに本考案は、食器類等の物品を受承する平板部の周縁に土手部を形成し、該土手部の外周面を盆自体の外周面とした盆において、前記外周面のうち少なくとも一対の対向部位に把持部を凹設したので、積み重ねた上下盆が吸着しても、把持部に指を掛けて、容易に引き離すことが出来て、使い勝手が良い。
【０００６】
土手部上端の内径を土手部下端の外径より小径としたので、積み重ねの際、下側盆の土手部上端に上側盆の土手部下端が支持され、下側盆の平板部の表面と、上側盆の平板部の裏面の間に隙間が空き、上下盆の接触面積が減少し、吸着力が小さくなって、より容易に引き離すことができる。
【０００７】
土手部の下端側において適宜間隔を置いてその下端側を平板部の下方に延出形成して間隔保持部を複数突設したので、積み重ねの際、下側盆の土手部上端に上側盆の間隔保持部の下端が支持され、上側盆の土手部下端で間隔保持部のない部分と、下側盆の土手部の上端との間に隙間が空き、取扱時に指を掛けられ、また上下盆の接触面積が更に減少し、取扱が更に容易になる。
【０００８】
平板部の底面にして土手部上端の内径対応部位より更に内側に脚体を突設したので、上側盆の脚体が、下側盆土手部の内周面に係止されて、横擦れを防止できることから、上下盆の積み重ね状態を確実に保持して、上記効果の更なる向上を図ることができる等その実用的効果甚だ大である。
【考案を実施するための最良の形態】
【０００９】
以下、本考案の一実施形態について図面に基づき説明する。
図１は本考案に係る盆の平面と底面を片側ずつ示す図であり、図中の右側に平面図を示し、左側に底面図を示している。
又、図２は図１の盆を積み重ねた状態を示す図であり、図中の右側に正面図を示し、左側に正面側にて表した縦断面図（盆の中央にて切断）を示している。
図３は図２の状態を右側面側にて表した図であり、図中の右側に右側面図を示し、左側に右側面側にて表した縦断面図（盆の中央にて切断）を示している。
そして、図４は図２の右端部の拡大図、図５は図２の左端部の拡大図、図６は図３の右端部の拡大図、図７は図３の左端部の拡大図である。
【００１０】
各図に示す様に、本実施例の盆は、方形の平板部１の周縁に土手部２を形成し、土手部２の外周面３を盆自体の外周面３（平面視において、外形線つまり輪郭線を形成する面）としており、左右の両側面部に把持部４、4aを凹設している。
土手部２は、適宜の厚みを有し、その上端での内径を土手部２の下端の外径より小径としており、また四隅角部の下端側を平板部の下方に延出形成して間隔保持部５、5a…としている。
【００１１】
そして、平板部２の底面には、土手部２の上端の内径に対応する部位より更に内側（平板部２の中心側）に脚体６を突設している。
因みに、本実施例のものでは、脚体６を周設して枠状にしているため、盆を反転させ、底面を物品載置面として使用しても良く、底面にも装飾を加えれば更に良い。
【００１２】
以上の通り、本実施例のものでは、全体形状が方形で右側面部及び左側面部に把持部４4aを設けてはいるが、本考案はこれに限らず、円形でも良く、要するに、外周面３のうち少なくとも一対の対向部位に把持部４、4aを凹設すれば良く、円形の場合は、間隔保持部５、5a…についても、土手部２の下端側において、適宜間隔を置いてその下端側を平板部の下方に延出形成して間隔保持部５、5a…を複数突設すれば良い。
【００１３】
不使用時には、図２〜７に示す様に、積み重ねて保管し、このとき下側盆の土手部２の上端に上側盆の間隔保持部５、5a…下端が支持され、上下盆の平板部１の表裏面は全く接触せず、上側盆の土手部２の下端の大部分と、下側盆の土手部２の上端との間に隙間が空き、この隙間や、上下盆の把持部４、4aに指をかければ、引き離しが容易である。
【図面の簡単な説明】
【００１４】
【図１】本考案に係る盆の平面及び底面を示す図である。
【図２】図１の盆を積み重ねた状態を正面側にて示す図である。
【図３】図２の状態を右側面側にて示す図である。
【図４】図２の右端部の拡大図である。
【図５】図２の左端部の拡大図である。
【図６】図３の右端部の拡大図である。
【図７】図３の左端部の拡大図である。
【符号の説明】
【００１５】
１        平板部
２        土手部
３        外周面
４、4a    把持部
５、5a…  間隔保持部
６        脚体
【図１】
0003130734.tif 000003
【図２】
0003130734.tif 000004
【図３】
0003130734.tif 000005
【図４】
0003130734.tif 000006
【図５】
0003130734.tif 000007
【図６】
0003130734.tif 000008
【図７】
0003130734.tif 000009
(57)【要約】      （修正有）【課題】農業機械と堆肥や肥料等の農業資材の運搬に関する資材積込用牽引スロープを提供する。【解決手段】堆肥または肥料散布機に直接トラックから資材を入れるため、トラックや堆肥または肥料散布機が登坂可能でかつ堆肥または肥料散布機のバケット部の最大高さおよびトラック荷台の高さに対応した高さを有するスロープ４を与える。スロープには農地までの移動を容易にするため、ジャッキ６によって収容が可能なタイヤ５と、取り外し可能なヒッチ２を備えることにより、車両による牽引を可能とする。【選択図】図１
0003130792.tif 000002
【実用新案登録請求の範囲】
【請求項１】
４輪車や堆肥および肥料散布機が登坂可能で、堆肥および肥料散布機のバケット部やトラック荷台の高さに対応した高さを有するスロープと、取り外し可能な牽引ヒッチと、ジャッキ等によって上下に稼動することで収容が可能なタイヤを備えた、車両により牽引が可能なスロープ。
【請求項２】
牽引ヒッチを備え、４輪車が登坂可能で堆肥および肥料散布機のバケット部の最大高さおよびトラック荷台の高さに対応した高さを有するスロープ。
【請求項３】
ジャッキ等によって上下に稼動することで収容が可能なタイヤを備えた、４輪車が登坂可能で堆肥および肥料散布機のバケット部の最大高さおよびトラック荷台の高さに対応した高さを有するスロープ。
【考案の詳細な説明】
【技術分野】
【０００１】この考案は農業機械と堆肥や肥料等の農業資材の運搬に関する技術である
【背景技術】
【０００２】これまで、堆肥や肥料等はトラック等に積載して運搬し、マニアスプレッダなどの堆肥または肥料散布機を長距離運搬するには、自走式の場合にはブリッジ等をトラックにかけて積載して運送し、牽引式の場合にはトラクターなどで牽引して運搬していた。【０００３】堆肥や肥料を堆肥または肥料散布機に積載するには、人力によって積み替えるか、パワーショベル等の機材を用いて積み替えていた。
【考案の開示】
【考案が解決しようとする課題】
【０００４】堆肥または肥料散布機に堆肥などの農業資材、土壌改良剤などを積み込む際、従来は人力やパワーショベルなどを用いて積み替える必要があった。【０００５】また、堆肥などの保管場所から農地まで、堆肥または肥料散布機を自走させて移動するには速度が遅く、そのため予め堆肥等を積載して輸送する手段として多用するのは効率が悪かった。
【課題を解決するための手段】
【０００６】資材をトラックから堆肥または肥料散布機に直接ダンプして移すために、トラックや堆肥または肥料散布機が登坂可能でかつ堆肥または肥料散布機のバケット部の最大高さおよびトラック荷台の高さに対応した高さを有するスロープを与える。【０００７】スロープには農地までの移動を容易にするため、ジャッキによって収容が可能なタイヤと、取り外し可能なヒッチを備えることにより、車両による牽引を可能とする。
【考案の効果】
【０００８】堆肥または肥料散布機はスロープを利用することでトラックに容易に積載可能である。【０００９】スロープは取り外し可能なヒッチと、ジャッキによってせり出すタイヤを備えるため、トラック等の車両による牽引が可能である。【００１０】堆肥または肥料散布機に、スロープをバックで登坂したダンプトラックを近づけ、ダンプすることで、短時間に簡単に堆肥等の積み込みを行うことができる。【００１１】これにより、堆肥または肥料散布機や、スロープ、堆肥や肥料の輸送が簡便となり、また農地と保管場所との往来の回数削減、積み替えのための時間短縮が可能となる。
【考案を実施するための最良の形態】
【００１２】本考案の実施例を図に示し、その構成を説明する。【００１３】図１は農業資材積込用牽引スロープの立面図、図２は同じく平面図であり、（１）はトラック等で牽引する際に、トラック等と接続するヒッチ先端部、（２）は取り外し可能なヒッチ、（３）はヒッチの取り付け部分、（４）はスロープ斜面、（５）は牽引時に使用するタイヤ、（６）はスロープとタイヤ間の高さを調整するジャッキを示す。【００１４】図３はヒッチの取り付け部分例の拡大断面図であり、（７）はヒッチ部側のパイプ、（８）スロープ本体側のパイプで、それぞれは太さを変えることで細いパイプが太いパイプに挿入可能であることとし、対応した位置に穴を貫通させ、（９）ボルト、ピンなどを通すことで固定可能とする。【００１５】スロープ本体は鉄骨等で骨組みを構成し、上面部には金網を配置して、トラック、堆肥または肥料散布機などの機材が登板可能なものである。【００１６】ジャッキ上部はスロープ本体と固定し、ジャッキを操作することによってタイヤを上下させ、ジャッキをたたんだ状態ではスロープ本体に格納できるものとする。
【図面の簡単な説明】
【００１７】
【図１】農業資材積込用牽引スロープ全体を示した立面図である。
【図２】農業資材積込用牽引スロープ全体を示した平面図である。
【図３】ヒッチの取り付け部分を拡大した断面図である。
【符号の説明】
【００１８】（１）はトラック等で牽引する際に、トラック等と接続するヒッチ先端部を示す。
（２）は取り外し可能なヒッチを示す。
（３）はヒッチの取り付け部分を示す。
（４）はスロープ斜面を示す。
（５）は牽引時に使用するタイヤを示す。
（６）はスロープとタイヤ間の高さを調整するジャッキを示す。
（７）はヒッチ部側のパイプを示す。
（８）はスロープ本体側のパイプを示す。
（９）はボルトまたはピンを示す。
【図１】
0003130792.tif 000003
【図２】
0003130792.tif 000004
【図３】
0003130792.tif 000005
(57)【要約】      （修正有）【課題】繊維強化プラスチックを使用し、足への衝撃を吸収、また跳躍力を向上させる。【解決手段】足裏の形をした３枚の繊維強化プラスチックを重ねた靴底を使用した。【選択図】図４
0003130793.tif 000002
【実用新案登録請求の範囲】
【請求項１】
・足裏の形をした３枚の繊維強化プラスチックを重ねた靴底からなる足型のシューズ。
【考案の詳細な説明】
【考案の開示】
【考案が解決しようとする課題】
【０００１】従来のシューズでは足にかかる衝撃を若干吸収しずらく、また跳躍時に必要な上方向への力をやや発生させることができないという問題点を有していた。
【課題を解決しようとする手段】
【０００２】上記目的を達成するために、足裏の形をした３枚の繊維強化プラスチックを使用し、その３枚の繊維強化プラスチックを重ね、靴底とした。
【考案の効果】
【０００３】足にかかる衝撃を吸収し、また跳躍時に必要な上方向への力を発生させる。
【図面の簡単な説明】
【０００４】
【図１】右足の上段繊維強化プラスチックの図である。全体が上方向に弧を描いており、その全体、また前後に下方向の力が加わると上方向に戻ろうとする力が発生する。左足は省略。
【図２】右足の中段繊維強化プラスチックの図である。その中央部分に下方向の力が加わると上方向に戻ろうとする力が発生する。また、その前後が下方向に弧を描いており、その前後に下方向の力が加わると上方向に戻ろうとする力が発生する。左足は省略。
【図３】右足の下段繊維強化プラスチックの図である。全体が下方向に弧を描いており、その全体、また前後に下方向の力が加わると上方向に戻ろうとする力が発生する。左足は省略。
【図４】右足の上段、中段、下段繊維強化プラスチックを重ね、靴底とした図である。左足は省略。
【図５】右足の上段、中段、下段繊維強化プラスチックを重ね、真横から見た断面図である。各繊維強化プラスチックの接する面は強力接着剤で固定する。左足は省略。
【図６】右足シューズの全景図である。左足は省略。
【符号の説明】
１    右足の上段繊維強化プラスチック
２    右足の中段繊維強化プラスチック
３    右足の下段繊維強化プラスチック
【図１】
0003130793.tif 000003
【図２】
0003130793.tif 000004
【図３】
0003130793.tif 000005
【図４】
0003130793.tif 000006
【図５】
0003130793.tif 000007
【図６】
0003130793.tif 000008
(57)【要約】      （修正有）【課題】身体に巻き付けやすい形状をしたベルトに、炭素繊維パッドと熱源となる発熱体を重ねて装着して身体に巻き、発熱体並びに加温された炭素繊維パッドから発する温熱を有する遠赤外線により、免疫力を向上させて癌の治療及び癌の進行や転移を抑制する。【解決手段】身体に巻き付けやすい形状をしたベルトに、熱源となる発熱体を入れるポケット状の袋２と、その外側に炭素繊維パッドを入れるポケット状の袋３を重ねて設けて課題を解決する。【選択図】図１
0003130791.tif 000002
【実用新案登録請求の範囲】
【請求項１】
身体に巻き付けるように設計されたベルトの内側に、ポケット状の二重の袋を設け炭素繊維パッドと発熱体を重ねて装着し、炭素繊維パッドを加温して発する遠赤外線による遠赤外線癌温熱療法ベルト。
【考案の詳細な説明】
【考案の開示】
【考案が解決しようとする課題】
【０００１】  癌細胞は、約４２．５℃で３時間程度の加温をすると変成が始まって死滅し始める特性がある。４２℃より低い温度であっても加温することは以下の効果がある。
▲１▼医学的にも体温が１℃上昇すると免疫力は６倍になる。また、癌になった人は、平均体温が１℃ほど低くなっている。
▲２▼加温によって、神経系からエンドルフィンが分泌され、免疫能力が高められる。温熱によって免疫系の働きが強化され、リンパ球などが癌細胞を攻撃するようになる。
▲３▼遠赤外線照射による温熱治療では、免疫細胞がもともと３７℃〜３８℃で活性が上がる為に、加温によって免疫治療の効果が増強する。癌細胞は熱に弱いこともあり、遠赤外線療法は癌免疫治療の補助としての効果を発揮する。
▲４▼加温により、血管の少ない癌細胞の血流が悪くなり、癌細胞の酸素濃度が低下する。さらに癌細胞に乳酸が蓄積されより酸性に傾く。細胞は酸性に傾けば傾くほど熱に弱くなる為、酸性に傾いた癌細胞から死滅していく。
▲５▼癌細胞が増殖する基となる遺伝子合成も３９℃〜４０℃の加温で停止する。このようなことから、遠赤外線癌温熱療法ベルトによって、癌細胞への免疫的効果が高まり、癌の進行や転移を抑制する。
以上のようなことから、癌組織を加温することは、癌治療に大きな効果が期待できるが、安全で簡便な加温方法がなかった。
【課題を解決する為の手段】
【０００２】上記の課題を解決するために、炭素繊維を加温し、炭素繊維の発する加温された遠赤外線をもって治療する安全で軽便な遠赤外線癌温熱療法ベルトを考案した。
この考案は、身体に巻き付けやすい形状をしたベルトの内側にアルミ箔を置き、ニクロム線等の電気による発熱体を置き、さらにその上に炭素繊維を重ねて、身体に装着できるような構造にした。
熱源となる電気は、電気コードにより直接電源より取り入れる方法と、蓄電池に充電して使用する方法を併用し、温度並びに使用時間が設定できるコントローラー（Ｃｏｎｔｒｏｌｌｅｒ）を設置する。
【考案の効果】
【０００３】炭素繊維を加温すると遠赤外線を発することは科学的に証明されている。
遠赤外線は水に浸透して熱を伝達する特性があって皮下深層部の温度を上昇させる作用がある。炭素繊維から放射された遠赤外線は、皮下の微細血管の血液中の水分に吸収されて血液を加温させる効果がある。
加温された血液は循環して癌組織が存在する体内深層部の温度を上昇させる。
癌細胞は熱に弱いことから、温熱された癌細胞は酸素濃度が低下し、乳酸が蓄積されて変性を起こし死滅していく。
本考案は、安全で簡便な方法により、温熱を有する遠赤外線により体温を上昇させるもので体温を上昇させることは、本考案が解決しようとする課題［０００１］に記載した癌治療効果を有するものである。
さらに、温熱効果による免疫力の増強によって癌の進行や転移を抑制と併せて、抗癌剤等の薬剤の投与を減少させることが可能となり、副作用を軽減しで患者の苦痛をやわらげるとともに延命効果が期待できる。
本考案は、安全で簡便であることから、家庭において民間療法としも使用できる。
【考案を実施するための最良の形態】
【０００４】身体に巻き付けやすい形状をしたベルトの一部を二重にして内側にアルミ箔を入れて縫着（１）する。その部分（１）の内側に、発熱体を入れるためのポケット状の袋（２）と炭素繊維パッドを入れるためのポケット状の袋（３）を重ねて設ける。
身体の接する方の袋（３）に炭素繊維を使用したパッドを入れ、その内側の袋（２）に発熱体をいれて身体に巻き付けて装着する。
【図面の簡単な説明】
【０００５】
【図１】遠赤外線癌温熱療法ベルトの内面図。
【図２】遠赤外線癌温熱療法ベルトの断面図。
【図３】炭素繊維パッドの構成図。
【図４】発熱体の構成図
【符合の説明】
【０００６】（１）アルミ箔を縫着した部分
（２）二重のポケット状の内側の袋
（３）二重のポケット状の外側の袋
（４）ベルトの本体
（５）アルミ箔
（６）外側布
（７）炭素繊維パッドの外側布
（８）炭素繊維
（９）コントローラーと蓄電池
（１０）電気コード
（１１）発熱体
（１２）プラグ
【図１】
0003130791.tif 000003
【図２】
0003130791.tif 000004
【図３】
0003130791.tif 000005
【図４】
0003130791.tif 000006